(57)【特許請求の範囲】
【請求項１】
カードを受容するハウジングと、該ハウジングに取り付けられたコンタクトと、前記ハウジングの幅方向片端部に配置され、前記ハウジングに受容されたカードを排出するイジェクト機構とを備えたカード用コネクタであって、
前記イジェクト機構が、カード挿入向き及び前記カード挿入向きとは逆向きのカード排出向きに移動可能に前記ハウジング内に配置されたスライダであって、前記カードに連動するスライダ本体と、該スライダ本体から延びる、鋸歯状の歯を有する歯部とを備え、前記スライダ本体と前記歯部とが一体に形成されたスライダと、該スライダの前記歯部に回転可能に保持されると共に、前記スライダとともに前記カード挿入向き及び前記カード排出向きに移動する回転カム部材と、該回転カム部材を前記カード排出向きに付勢するばね部材と、前記ハウジングに固定され、前記回転カム部材との間で前記ばね部材を支持するばね抜け止め部材とを具備し、
前記スライダ、前記回転カム部材、前記ばね部材、及び前記ばね抜け止め部材は、前記カード排出向きに前記ハウジングに挿入されることを特徴とするカード用コネクタ。
【請求項２】
カードを受容するハウジングと、該ハウジングに取り付けられたコンタクトと、前記ハウジングの幅方向片端部に配置され、前記ハウジングに受容されたカードを排出するイジェクト機構とを備え、該イジェクト機構が、カード挿入向き及び前記カード挿入向きとは逆向きのカード排出向きに移動可能に前記ハウジング内に配置されたスライダであって、前記カードに連動するスライダ本体と、該スライダ本体から延びる、鋸歯状の歯を有する歯部とを備え、前記スライダ本体と前記歯部とが一体に形成されたスライダと、該スライダの前記歯部に回転可能に保持されると共に、前記スライダとともに前記カード挿入向き及び前記カード排出向きに移動する回転カム部材と、該回転カム部材を前記カード排出向きに付勢するばね部材と、前記ハウジングに固定され、前記回転カム部材との間で前記ばね部材を支持するばね抜け止め部材とを具備したカード用コネクタの製造方法であって、
前記スライダを、前記ハウジングに前記カード排出向きに挿入する工程と、
前記回転カム部材を、前記ハウジングに前記カード排出向きに挿入し、前記ハウジングに挿入された前記スライダの歯部に前記回転カム部材を保持する工程と、
前記ばね部材を、前記ハウジングに前記カード排出向きに挿入し、前記ハウジングに挿入された前記回転カム部材の支持部に前記ばね部材の一端を支持する工程と、
前記ばね抜け止め部材を、前記ハウジングに前記カード排出向きに挿入し、前記ハウジングに挿入された前記ばね部材の他端を支持する工程とを含むことを特徴とするカード用コネクタの製造方法。
【発明の詳細な説明】
【技術分野】
【０００１】
本発明は、メモリカード等のカードに使用されるカード用コネクタ及びその製造方法に関し、特にカードを排出するためのイジェクト機構を備えたカード用コネクタ及びその製造方法に関する。
【背景技術】
【０００２】
従来より、メモリカード等のカードに使用されるカード用コネクタとして、そのカードを排出するためのイジェクト機構を備えたのものが知られている。
イジェクト機構は、いわゆるプッシュ・プッシュ型と呼ばれるものが主流となっており、その機能としては、カードをコネクタに挿入（プッシュ）すると、カード（スライダ）をロックする。そして、カード（スライダ）がロックされた状態でカードを押す（プッシュ）と、ロックが解除されてカードをコネクタから排出する。
【０００３】
近年においては、このプッシュ・プッシュ型のイジェクト機構として、カードの係止及び排出機構の小型化を目的として、例えば、特許文献１のように、回転カム部材を用いたものが提案されている。特許文献１に記載されたカード用コネクタを図１１に示す。
図１１に示すカード用コネクタ１００は、ハウジング１１０と、ハウジング１１０に取り付けられた複数のコンタクト１２０と、イジェクト機構１３０とを具備している。
ハウジング１１０は、カード（図示せず）を受容するカード受容空間１１１及びカード受容空間１１１の幅方向（図１１における左右方向）の片端部に形成されたイジェクト機構収容空間１１２を備えている。
【０００４】
イジェクト機構１３０は、ハウジング１１０に形成されたイジェクト機構収容空間１１２内に配置され、カード受容空間１１１に受容されたカードを排出するものである。カードは、図１１における矢印Ａで示すカード挿入向きにカード受容空間１１１に挿入され、カード挿入向きとは逆向きの矢印Ｂで示すカード排出向きにカード受容空間１１１から排出される。
【０００５】
ここで、イジェクト機構１３０は、カード挿入向き及びカード排出向きに移動可能にイジェクト機構収容空間１１２内に配置されたスライダ１３１を備える。スライダ１３１には、回転カム部材１３２が回転可能に保持されている。この回転カム部材１３２は、スライダ１３１とともにカード挿入向き及びカード排出向きに移動するようになっている。そして、イジェクト機構１３０は、回転カム部材１３２をスライダ１３１とともにカード排出向きに付勢するばね部材１３３を備えている。ばね部材１３３は、ハウジング１１０のカード挿入向き後端（カード挿入向きの最も奥の端）にある端壁と、回転カム部材１３２との間に配置される。
なお、カード用コネクタ１００においては、図示しない金属製のカバー部材がハウジング１１０の上側を覆うように取り付けられ、これによりシールド効果が付与される。
【０００６】
このように構成されたカード用コネクタ１００において、カードをハウジング１１０に挿入すると、カードがスライダ１３１を押圧して回転カム部材１３２とともにスライダ１３１がカード挿入向きに移動する。そして、カードをカード挿入向き最後端にまで移動し、手を離すと、ばね部材１３３の作用により、回転カム部材１３２及びスライダ１３１がカード排出向きに若干移動する。この際に、回転カム部材１３２が間欠的に一方向に回転してハウジング１１０に係止され、これにより、カード（スライダ１３１）がロックされる。そして、カードがロックされてからカードを再度押してカードをカード挿入向き最後端にまで移動し、手を離すと、回転カム部材１３２が間欠的に一方向に回転してカード（スライダ１３１）のロックが解除される。そして、ばね部材１３３の作用により、回転カム部材１３２及びスライダ１３１がカード排出向きに移動し、カードがハウジング１１０から排出される。
【先行技術文献】
【特許文献】
【０００７】
【特許文献１】特開２０１０−１２３５４３号公報
【発明の概要】
【発明が解決しようとする課題】
【０００８】
しかしながら、この図１１に示したカード用コネクタ１００にあっては、以下の問題点があった。
即ち、カード用コネクタ１００の組立に際し、イジェクト機構１３０のハウジング１１０への取付けは次のように行われる。先ず、回転カム部材１３２を保持したスライダ１３１を、ハウジング１１０の上方からイジェクト機構収容空間１１２内に収容する。次いで、ばね部材１３３を、ハウジング１１０の上方からイジェクト機構収容空間１１２内に収容し、ハウジング１１０のカード挿入向き後端にある端壁と、回転カム部材１３２との間に配置するようにばね部材１３３を動かす。そして、最後に、カバー部材をハウジング１１０の上側を覆うようにハウジング１１０に取り付ける。これにより、イジェクト機構１３０のハウジング１１０への取付け及びカード用コネクタ１００の組立が完了する。
【０００９】
ここで、イジェクト機構１３０のハウジング１１０への取付けにおいては、回転カム部材１３２を保持したスライダ１３１をハウジング１１０の上方からイジェクト機構収容空間１１２内に収容する作業の他、ばね部材１３３を、ハウジング１１０の上方からイジェクト機構収容空間１１２内に収容する作業と、ばね部材１３３を、ハウジング１１０のカード挿入向き後端にある端壁と、回転カム部材１３２との間に配置するように動かす作業とが必要となる。このため、イジェクト機構１３０のハウジング１１０への取付作業性が悪い。つまり、イジェクト機構１３０のハウジング１１０への取付けにおいて、イジェクト機構１３０を構成する各部材を移動させる方向が複雑となっており、その取付け作業性が極めて悪い。また、回転カム部材１３２を保持したスライダ１３１をイジェクト機構収容空間１１２内に収容する際に、回転カム部材１３２がスライダ１３１から離脱してしまうおそれもある。更に、カバー部材をハウジング１１０の上側を覆うようにハウジング１１０に取り付けてイジェクト機構１３０の離脱を防止する作業も更に必要となり、カード用コネクタ１００の組立作業性が極めて悪い。
従って、本発明はこの従来の問題点を解決するためになされたものであり、その目的は、イジェクト機構のハウジングへの取付作業性及びカード用コネクタの組立作業性に優れた、カード用コネクタ及びその製造方法を提供することにある。
【課題を解決するための手段】
【００１０】
上記目的を達成するために、本発明のうちある態様に係るカード用コネクタは、カードを受容するハウジングと、該ハウジングに取り付けられたコンタクトと、前記ハウジングの幅方向片端部に配置され、前記ハウジングに受容されたカードを排出するイジェクト機構とを備えたカード用コネクタであって、前記イジェクト機構が、カード挿入向き及び前記カード挿入向きとは逆向きのカード排出向きに移動可能に前記ハウジング内に配置されたスライダであって、前記カードに連動するスライダ本体と、該スライダ本体から延びる、鋸歯状の歯を有する歯部とを備え、前記スライダ本体と前記歯部とが一体に形成されたスライダと、該スライダの前記歯部に回転可能に保持されると共に、前記スライダとともに前記カード挿入向き及び前記カード排出向きに移動する回転カム部材と、該回転カム部材を前記カード排出向きに付勢するばね部材と、前記ハウジングに固定され、前記回転カム部材との間で前記ばね部材を支持するばね抜け止め部材とを具備し、前記スライダ、前記回転カム部材、前記ばね部材、及び前記ばね抜け止め部材は、前記カード排出向きに前記ハウジングに挿入されることを特徴としている。
【００１１】
また、本発明のうちある態様に係るカード用コネクタの製造方法は、カードを受容するハウジングと、該ハウジングに取り付けられたコンタクトと、前記ハウジングの幅方向片端部に配置され、前記ハウジングに受容されたカードを排出するイジェクト機構とを備え、該イジェクト機構が、カード挿入向き及び前記カード挿入向きとは逆向きのカード排出向きに移動可能に前記ハウジング内に配置されたスライダであって、前記カードに連動するスライダ本体と、該スライダ本体から延びる、鋸歯状の歯を有する歯部とを備え、前記スライダ本体と前記歯部とが一体に形成されたスライダと、該スライダの前記歯部に回転可能に保持されると共に、前記スライダとともに前記カード挿入向き及び前記カード排出向きに移動する回転カム部材と、該回転カム部材を前記カード排出向きに付勢するばね部材と、前記ハウジングに固定され、前記回転カム部材との間で前記ばね部材を支持するばね抜け止め部材とを具備したカード用コネクタの製造方法であって、前記スライダを、前記ハウジングに前記カード排出向きに挿入する工程と、前記回転カム部材を、前記ハウジングに前記カード排出向きに挿入し、前記ハウジングに挿入された前記スライダの歯部に前記回転カム部材を保持する工程と、前記ばね部材を、前記ハウジングに前記カード排出向きに挿入し、前記ハウジングに挿入された前記回転カム部材の支持部に前記ばね部材の一端を支持する工程と、前記ばね抜け止め部材を、前記ハウジングに前記カード排出向きに挿入し、前記ハウジングに挿入された前記ばね部材の他端を支持する工程とを含むことを特徴としている。
【発明の効果】
【００１２】
本発明に係るカード用コネクタ及びその製造方法によれば、スライダ、回転カム部材、ばね部材、及びばね抜け止め部材は、カード排出向きにハウジングに挿入されるので、イジェクト機構を構成する全ての部材をカード挿入向きとは逆向きのカード排出向きにハウジングに挿入することにより、カード用コネクタを組み立てることができる。このため、イジェクト機構を構成する各部材を移動させる方向が同一であるので、組立の自動化が容易である。従って、イジェクト機構のハウジングへの取付作業性及びカード用コネクタの組立作業性に優れた、カード用コネクタ及びその製造方法を提供できる。
また、イジェクト機構のハウジングへの取付けに際し、イジェクト機構を構成する各部材がハウジングから離脱するおそれも少ない。
更に、イジェクト機構のハウジングからの離脱を防止する付加的な部材も必要はない。
【図面の簡単な説明】
【００１３】
【図１】本発明に係るカード用コネクタの実施形態をカードとともに示す斜視図である。
【図２】図１に示すカード用コネクタにカードが挿入された状態を示し、（Ａ）は平面図、（Ｂ）は正面図である。
【図３】図１に示すカード用コネクタにカードが挿入された状態を示し、（Ａ）は右側面図、（Ｂ）は背面図である。
【図４】図１に示すカード用コネクタの分解斜視図である。
【図５】図１のカード用コネクタに用いられるハウジングを示し、（Ａ）は背面下側から見た斜視図、（Ｂ）は背面図である。
【図６】図１に示すカード用コネクタの組立方法（製造方法）を示し、（Ａ）はハウジングにスライダを挿入する際の説明図、（Ｂ）はハウジングに回転カム部材を挿入する際の説明図、（Ｃ）はハウジングにばね部材を挿入する際の説明図、（Ｄ）はハウジングにばね抜け止め部材を挿入する際の説明図である。
【図７】カードを押圧してハウジング内に挿入している途中の状態のイジェクト機構、ハウジングと回転カム部材との関係、及びカードとカード用コネクタとの位置関係を示し、（Ａ）はイジェクト機構の部分斜視図、（Ｂ）は（Ａ）における７Ｂ−７Ｂ線に沿ったハウジングと回転カム部材との関係を示す断面図、（Ｃ）はカードとカード用コネクタとの位置関係を示す平面図である。但し、図７（Ａ）においては、ハウジングは図示されていない。
【図８】カードを離してハウジング内にカード（スライダ）がロックされている状態のイジェクト機構、ハウジングと回転カム部材との関係、及びカードとカード用コネクタとの位置関係を示し、（Ａ）はイジェクト機構の部分斜視図、（Ｂ）は（Ａ）における８Ｂ−８Ｂ線に沿ったハウジングと回転カム部材との関係を示す断面図、（Ｃ）はカードとカード用コネクタとの位置関係を示す平面図である。但し、図８（Ａ）においては、ハウジングは図示されていない。
【図９】カードを再度押圧している状態のイジェクト機構、ハウジングと回転カム部材との関係、及びカードとカード用コネクタとの位置関係を示し、（Ａ）はイジェクト機構の部分斜視図、（Ｂ）は（Ａ）における９Ｂ−９Ｂ線に沿ったハウジングと回転カム部材との関係を示す断面図、（Ｃ）はカードとカード用コネクタとの位置関係を示す平面図である。但し、図９（Ａ）においては、ハウジングは図示されていない。
【図１０】カードを離してカードがハウジングから排出された状態のイジェクト機構、ハウジングと回転カム部材との関係、及びカードとカード用コネクタとの位置関係を示し、（Ａ）はイジェクト機構の部分斜視図、（Ｂ）は（Ａ）における９Ｂ−９Ｂ線に沿ったハウジングと回転カム部材との関係を示す断面図、（Ｃ）はカードとカード用コネクタとの位置関係を示す平面図である。但し、図１０（Ａ）においては、ハウジングは図示されていない。
【図１１】従来例のカード用コネクタの分解斜視図である。
【発明を実施するための形態】
【００１４】
以下、本発明に係るカード用コネクタの実施形態を図１乃至図１０を参照して説明する。
図１乃至図３（Ａ）、（Ｂ）に示すように、カード用コネクタ１には、メモリカード等のカードＣが挿入されるとともに、排出されるようになっている。カードＣは、図１における矢印Ｘで示すカード挿入向きにカード用コネクタ１に挿入される。また、カードＣは、図１における矢印Ｙで示す、カード挿入向きとは逆向きのカード排出向きにカード用コネクタ１から排出される。カード用コネクタ１は、図示しない回路基板上に実装される。
【００１５】
ここで、カード用コネクタ１は、図１乃至図４に示すように、ハウジング１０と、複数のコンタクト２０と、イジェクト機構３０とを備えている。
ハウジング１０は、図１乃至図５（Ａ）、（Ｂ）に示すように、前向き（カード排出向き）及び後向き（カード挿入向き）に延びるとともに、前向き及び後向きに直交する幅方向に延びる略矩形状に形成されている。ハウジング１０は、絶縁性の樹脂を成形することによって形成される。ハウジング１０は、カードＣを受容するカード受容空間１１と、イジェクト機構３０を収容するイジェクト機構収容空間１２とを備えている。カード受容空間１１は、ハウジング１０の幅方向に延びるとともに、前端面（図１及び図４における下端面）に開口して後方に向けて延びている。カード受容空間１１の後端部には、図５（Ａ）、（Ｂ）に示すように、ハウジング１０の後端面に開口するスライダ本体用開口１１ａが形成されている。イジェクト機構収容空間１２は、図５（Ａ）、（Ｂ）に示すように、ハウジング１０の幅方向片端部に形成され、ハウジング１０の後端面に開口して前方に向けて延びている。イジェクト機構収容空間１２は、後側に位置する大径丸孔部と、前側に位置する小径丸孔部とからなり、大径丸孔部の後端部には、ばね抜け止め部材７０を圧入固定するための圧入用孔１２ａが形成されている。また、イジェクト機構収容空間１２は、図５（Ａ），（Ｂ）及び図７（Ｂ）に示すように、カード受容空間１１と通路１２ｂによって連通している。更に、イジェクト機構収容空間１２の大径丸孔部と小径丸孔部との間には、図５（Ｂ）、図７（Ｂ）、図８（Ｂ）、図９（Ｂ）、及び図１０（Ｂ）に示すように、鋸歯形のロック用端面１２ｄが形成されている。ロック用端面１２ｄには、スライダ４０及びカードＣのロック時に、回転カム部材５０に形成された突条５２の傾斜面５２ａが当接して回転カム部材５０及びスライダ４０の前向き（カード排出向き）への移動を規制するようになっている。また、イジェクト機構収容空間１２の小径丸孔部には、図５（Ｂ）、図７（Ｂ）、図８（Ｂ）、図９（Ｂ）、及び図１０（Ｂ）に示すように、ロック用端面１２ｄから前方に延びる複数のスリット１２ｃが形成されている。スリット１２ｃには、スライダ４０及びカードＣが移動可能なときに、回転カム部材５０に形成された突条５２が入り込む。
【００１６】
また、複数のコンタクト２０は、導電性金属板を打抜き及び曲げ加工することによって形成され、ハウジング１０にインサートモールドすることによってハウジング１０に取り付けられる。複数のコンタクト２０は、ハウジング１０の幅方向に沿って一列状に配置されている。各コンタクト２０は、カード受容空間１１内に挿入されたカードＣの導電パッド（図示せず）に接触する接触部を備える。各コンタクト２０は、回路基板上に半田等により接続される。
【００１７】
次に、イジェクト機構３０は、いわゆる、プッシュ・プッシュ型と呼ばれるものであり、カード受容空間１１内に挿入されたカードＣを排出する。イジェクト機構３０は、図４に示すように、スライダ４０と、回転カム部材５０と、ばね部材６０と、ばね抜け止め部材７０とを備えている。
ここで、スライダ４０は、後向き及び前向きに移動可能にハウジング１０内に収容される。スライダ４０は、カードＣに連動するスライダ本体４１と、スライダ本体４１から連結部４４を介して延びる、鋸歯状の歯４３を有する歯部４２とを備えている。スライダ４０は、合成樹脂を成形することによって形成される。
【００１８】
スライダ４０のスライダ本体４１は、図３（Ｂ）に示すように、カード受容空間１１内に収容され、歯部４２は、イジェクト機構収容空間１２内に収容される。スライダ本体４１には、図４に示すように、カードＣの側面Ｃ１（図１参照）が対向する面４１ａと、カードＣの角縁に形成された傾斜切欠面Ｃ２が対向する対向面４１ｂと、カードＣの端面Ｃ３が当接する当接面４１ｃとが形成されている。また、スライダ本体４１には、図４に示すように、カードＣの切欠Ｃ４に入り込んでロックするロック突起４１ｄが設けられている。また、スライダ４０の歯部４２は、円筒状に形成された歯部本体の後端に歯部本体の円周に沿って配置された複数の鋸歯状の歯４３を備えている。
【００１９】
また、回転カム部材５０は、図４に示すように、円筒形のカム本体５１と、カム本体５１の外周面後端に設けられた複数の突条５２とを備えている。回転カム部材５０のカム本体５１は、イジェクト機構収容空間１２においてスライダ４０の歯部４２に後側から挿入され、回転カム部材５０は歯部４２に対して回転可能に保持される。回転カム部材５０は、スライダ４０とともにカード挿入向き及びカード排出向きに移動する。回転カム部材５０の突条５２は、歯４３の側部傾斜面及び鋸歯状のロック用端面１２ｄの側部傾斜面に当接する傾斜面５２ａを有する。
【００２０】
更に、ばね部材６０は、図４及び図７（ａ）に示すように、イジェクト機構収容空間１２において回転カム部材５０の後側に配置され、回転カム部材５０をカード排出向きに付勢する圧縮ばねで構成される。ばね部材６０は、回転カム部材５０の後端面に突出形成された支持部（図示せず）と、ばね抜け止め部材７０の前面に突出形成された支持部７３とによって支持される。
【００２１】
また、ばね抜け止め部材７０は、図４に示すように、円盤状の圧入部７１と、圧入部７１の前面から前方に向けて突出する支持部７３とを備えている。圧入部７１の外周面には、圧入用の突起７２が複数形成されている。ばね抜け止め部材７０は、イジェクト機構収容空間１２の圧入用孔１２ａに圧入部７１が圧入されることにより、ハウジング１０に固定される。ばね抜け止め部材７０は、回転カム部材５０との間でばね部材６０を支持し、ばね部材６０の抜け止めを行う。
【００２２】
次に、カード用コネクタ１の組立（製造）方法について、図６を参照して説明する。
先ず、コンタクト２０を取り付けたハウジング１０を準備し、図６（Ａ）に示すように、スライダ４０を、矢印Ｙで示すカード排出向きにハウジング１０に挿入する。この際に、スライダ４０の前側を先頭にして、スライダ本体４１をスライダ本体用開口１１ａ（図５参照）からカード受容空間１１内に挿入するとともに、歯部４２を圧入用孔１２ａからイジェクト機構収容空間１２内に挿入する。
【００２３】
次いで、図６（Ｂ）に示すように、回転カム部材５０を、矢印Ｙで示すカード排出向きにハウジング１０に挿入する。この際に、回転カム部材５０のカム本体５１を、前側を先頭にして、圧入用孔１２ａからイジェクト機構収容空間１２に挿入し、スライダ４０の歯部４２内の凹部に挿入する。これにより、回転カム部材５０は歯部４２に対して回転可能に保持される。
【００２４】
そして、図６（Ｃ）に示すように、ばね部材６０を、矢印Ｙで示すカード排出向きにハウジング１０に挿入する。この際に、ばね部材６０を、圧入用孔１２ａからイジェクト機構収容空間１２に挿入し、回転カム部材５０の支持部でばね部材６０の一端を支持する。
最後に、図６（Ｄ）に示すように、ばね抜け止め部材７０を、矢印Ｙで示すカード排出向きにハウジング１０に挿入する。この際に、ばね抜け止め部材７０の圧入部７１を、前側を先頭にして、イジェクト機構収容空間１２の圧入用孔１２ａに圧入固定し、支持部７３によりばね部材６０の他端を支持する。これにより、ばね部材６０がハウジング１０に固定されるとともに、ばね抜け止め部材７０と回転カム部材５０との間でばね部材６０を支持し、ばね部材６０の抜け止めを行う。以上の作業により、カード用コネクタ１の組立は完了する。
【００２５】
このように、本実施形態に係るカード用コネクタ及びその製造方法によれば、スライダ４０、回転カム部材５０、ばね部材６０、及びばね抜け止め部材７０は、カード排出向きにハウジング１０に挿入される。このため、イジェクト機構３０を構成する全ての部材４０、５０、６０、７０をカード挿入向きとは逆向きのカード排出向きにハウジング１０に挿入することにより、カード用コネクタ１を組み立てることができる。つまり、イジェクト機構３０を構成する全ての部材を同一向きでハウジング１０に挿入することで、カード用コネクタ１を組み立てることができる。このため、イジェクト機構３０のハウジング１０への取付作業性及びカード用コネクタ１の組立作業性に優れた、カード用コネクタ及びその製造方法を提供できる。
【００２６】
また、イジェクト機構３０のハウジング１０への取付けに際し、イジェクト機構３０を構成する各部材４０、５０、６０、７０がハウジング１０から離脱するおそれも少ない。
更に、イジェクト機構３０のハウジング１０からの離脱を防止する、例えばカバー部材等の付加的な部材も必要はない。
【００２７】
次に、イジェクト機構３０の動作について、図７乃至図１０を参照して説明する。
先ず、カード用コネクタ１にカードＣが挿入されていない状態で、図７（Ｃ）に示すように、カードＣを矢印Ｘで示すカード挿入向きに押圧してカード受容空間１１内に挿入する。すると、スライダ４０のロック突起４１ｄがカードＣの切欠Ｃ４に入り込んでロックする。これにより、スライダ４０がカードＣに連動することになる。ここで、図７（Ｂ）に示すように、回転カム部材５０の各突条５２は、ハウジング１０のイジェクト機構収容空間１２に形成された各スリット１２ｃ内に位置している。このため、カードＣ及びスライダ４０とともに回転カム部材５０は、図７（Ａ）に示すように、ばね部材６０の付勢力に抗してカード挿入向きに後退する。この際に、スライダ４０の歯４３の側部傾斜面が回転カム部材５０の突条５２の傾斜面５２ａに当接しており、回転カム部材５２は、図７（Ｂ）で示す矢印方向に回転しようとしている。
そして、カードＣの挿入を続行して回転カム部材５０がカード挿入向きの最後端にまで後退すると、回転カム部材５０の各突条５２が各スリット１２ｃから外れる。
【００２８】
次いで、カードＣを離すと、図８（Ａ）に示すように、ばね部材６０の付勢力によって回転カム部材５０がカード排出向きに移動するとともに、回転カム部材５０が、図８（Ｂ）に示すように、矢印方向に６０°回転する。そして、回転カム部材５０の各突条５２がイジェクト機構収容空間１２の鋸歯形のロック端面１１ｄに当接して、回転カム部材６０のカード排出向きの移動が停止すると共に、回転カム部材５０の回転が停止する。これにより、図８（Ｃ）に示すように、スライダ４０及びカードＣのカード排出向きへの移動が停止され、スライダ４０及びカードＣがハウジング１０内でロックされる。
【００２９】
更に、カードＣを排出する際には、図９（Ｃ）に示すように、カードＣを矢印Ｘで示すカード挿入向きに再度押圧する。すると、カードＣ及びスライダ４０とともに回転カム部材５０は、図９（Ａ）に示すように、ばね部材６０の付勢力に抗してカード挿入向きに後退する。この際に、回転カム部材５０の各突条５２は、鋸歯形のロック端面１２ｄに沿いつつ移動する。また、スライダ４０の歯４３の側部傾斜面が回転カム部材５０の突条５２の傾斜面５２ａに当接しており、回転カム部材５２は、図９（Ｂ）で示す矢印方向に回転しようとしている。
そして、カードＣの押圧を続行して回転カム部材５０がカード挿入向きの最後端にまで後退すると、回転カム部材５０の各突条５２が各鋸歯形のロック端面１２ｄから外れる。
【００３０】
次いで、カードＣを離すと、回転カム部材５０が、図１０（Ｂ）に示すように、矢印方向に６０°回転し、各突条５２が各スリット５２ｃに位置する。そして、図１０（Ａ）、（Ｃ）に示すように、ばね部材６０の付勢力によって回転カム部材５０、スライダ４０及びカードＣが矢印Ｙで示すカード排出向きに移動する。これにより、図１０（Ｃ）に示すように、カードＣのカード用コネクタ１からの突出量が増大し、カードＣをカード用コネクタ１から引き抜くことができる。
【００３１】
以上、本発明の実施形態について説明してきたが、本発明はこれに限定されずに種々の変更、改良を行うことができる。
例えば、イジェクト機構３０を構成するスライダ４０は、カード挿入向き及びカード挿入向きとは逆向きのカード排出向きに移動可能にハウジング１０内に配置され、カードＣに連動するスライダ本体４１と、スライダ本体から延びる、鋸歯状の歯４３を有する歯部４２を備え、そして、カード排出向きにハウジング１０に挿入されるものであれば、図示された形状に限られない。
【００３２】
また、回転カム部材５０は、スライダ４０の歯部４２に回転可能に保持されると共に、スライダ４０ともにカード挿入向き及びカード排出向きに移動し、そして、カード排出向きにハウジング１０に挿入されるものであれば、図示した形状に限られない。
さらに、ばね抜け止め部材７０のハウジング１０への固定は、圧入の代わりに、バヨネット係合等の他の固定手段によってなされてもよい。
また、ばね抜け止め部材は、独立した部材の代わりに、ハウジングに取り付けられるシェル等に一体的に設けられてもよい。
【符号の説明】
【００３３】
１０  ハウジング
２０  コンタクト
３０  イジェクト機構
４０  スライダ
４１  スライダ本体
４２  歯部
４３  歯
５０  回転カム部材
６０  ばね部材
７０  ばね抜け止め部材
Ｃ  カード
【図１】
0005750015.tif 000002
【図２】
0005750015.tif 000003
【図３】
0005750015.tif 000004
【図４】
0005750015.tif 000005
【図５】
0005750015.tif 000006
【図６】
0005750015.tif 000007
【図７】
0005750015.tif 000008
【図８】
0005750015.tif 000009
【図９】
0005750015.tif 000010
【図１０】
0005750015.tif 000011
【図１１】
0005750015.tif 000012